(57)【特許請求の範囲】
【請求項１】
鉄筋コンクリート柱からなる下階柱の上端と、鉄骨梁とを接合する鉄筋コンクリート柱・鉄骨梁接合構造であって、
前記下階柱の上端に、前記鉄骨梁の幅以上で前記下階柱より細い角パイプである継手部パイプが設けられ、この継手部パイプの側面に前記鉄骨梁の端面が接合され、前記継手部パイプに、前記鉄骨梁の上下のフランジの位置する高さにそれぞれ位置して上下のダイアフラムが設けられ、
前記継手部パイプの２つまたは３つの側面に前記鉄骨梁の端面が接合され、前記継手部パイプの残りの側面に、先端が前記下階柱の側面と同じ水平位置まで延びるアーム状の補強鉄骨の基端が接合されて前記下階柱に埋め込まれた、
鉄筋コンクリート柱・鉄骨梁接合構造。
【請求項２】
請求項１に記載の鉄筋コンクリート柱・鉄骨梁接合構造において、前記継手部パイプ上に、この継手部パイプ以下の外径の鉄骨柱からなる上階柱が接合された鉄筋コンクリート柱・鉄骨梁接合構造。
【請求項３】
請求項２に記載の鉄筋コンクリート柱・鉄骨梁接合構造において、前記上階柱に作用する曲げ力に対して前記上階柱の下部を補強する柱下部補強体が設けられた鉄筋コンクリート柱・鉄骨梁接合構造。
【請求項４】
請求項３に記載の鉄筋コンクリート柱・鉄骨梁接合構造において、前記柱下部補強体が、前記下階柱から一体に続く鉄筋コンクリート製の根巻きである鉄筋コンクリート柱・鉄骨梁接合構造。
【請求項５】
請求項１に記載の鉄筋コンクリート柱・鉄骨梁接合構造において、前記継手部パイプ上に鉄骨柱からなる上階柱が接合され、前記継手部パイプは前記上階柱よりも小径であり、前記継手部パイプの外周に柱梁接合部のコンクリートが充填されている鉄筋コンクリート柱・鉄骨梁接合構造。
【発明の詳細な説明】
【技術分野】
【０００１】
この発明は、鉄筋コンクリート柱からなる下階柱の上端と、鉄骨梁とを接合する鉄筋コンクリート柱・鉄骨梁接合構造に関し、さらに鉄骨柱からなる上階柱と接合する鉄筋コンクリート柱・鉄骨柱・鉄骨梁接合構造としても適用され得る接合構造に関する。
【背景技術】
【０００２】
図２３は、物流施設などに採用される、柱をＲＣ造、梁をＳ造とした構造（以下、「ＲＣＳ構造」と称す）の建物躯体の従来例を示す。この種の建物の柱において、一般階は鉄筋コンクリート柱２１とされているが、最上階だけを鉄骨柱２４とすることがある。最上階は折板などからなる軽量の屋根が載るだけであり、負担する荷重が小さいため、コスト削減のために鉄骨柱とされる。また、最上階の鉄骨柱２４は、支持すべき荷重が小さいため、３００mm角程度のＨ形鋼や角パイプで足り、鉄骨梁２３の梁幅は３００mm程度が一般的であるため、図２３のＸＸIV部を図２４に斜視図で示すように、鉄骨梁２３の上に鉄骨柱２４を梁幅内に納まるように載せた接合構造とすることができる。
【先行技術文献】
【特許文献】
【０００３】
【特許文献１】特開２０１２−１６２８６４号公報
【発明の概要】
【発明が解決しようとする課題】
【０００４】
上記のような物流施設の建物において、さらなるコスト削減のため、中間階の柱についても鉄骨柱とすることが望まれている。物流施設の場合、１階は出入り口等を設けるプラン上、ブレースが入れられず、鉄骨造ラーメン構造では剛性が不足するため、ＲＣ造の柱がほぼ必須である。１階以外の中間階では外周部にはほぼブレースを入れることが出来るため、ブレース併用の鉄骨造とすることができる。
【０００５】
しかし、図２５に示すように、中間階の柱を鉄骨柱２２とする場合、この鉄骨柱２２は床スラブやその上の積載荷重を支持する必要があり、耐力の関係上、鉄骨梁２３の梁幅を超える外径、例えば５５０mm程度の鉄骨柱２２が必要となる。
このような梁幅を超える鉄骨柱２２を、最上階と同様に同図のように鉄骨梁２３の上面に設置したのでは、鉄骨柱２２の下端面の鉄骨梁２３の梁幅からはみ出る部分の応力を鉄骨梁２３に伝達することができない。
このような梁幅を超える鉄骨柱２２と鉄骨梁２３とを接合する適切な接合構造がなく、中間階を鉄骨造とする工法が実現できなかった。
【０００６】
また、従来のＲＣＳ構造の建物躯体では、上階柱を鉄骨柱とする場合に限らず、最上階のように上階柱がない場合や、上階柱が鉄筋コンクリート柱である場合にも、鉄筋コンクリート柱に鉄骨梁を接合する部分一般において、その接合作業の作業性や堅固な固定の面で課題を有していた。
【０００７】
この発明の目的は、下階柱となる鉄筋コンクリート柱と鉄骨梁とを作業性良く堅固に接合できる鉄筋コンクリ−ト柱・鉄骨梁接合構造を提供することである。
この発明の他の目的は、下階柱が鉄筋コンクリート柱であって梁が鉄骨梁であるＲＣＳ構造の建物躯体において、上階柱となる鉄骨柱が鉄骨梁の幅より太くても、応力伝達上で支障が生じることなく上階柱と鉄骨梁との接合が行えるようにすることである。
【課題を解決するための手段】
【０００８】
この発明の鉄筋コンクリート柱・鉄骨梁接合構造は、鉄筋コンクリート柱からなる下階柱の上端と、鉄骨梁とを接合する鉄筋コンクリート柱・鉄骨梁接合構造であって、
前記下階柱の上端に、前記鉄骨梁の幅以上で前記下階柱より細い角パイプである継手部パイプが設けられ、この継手部パイプの側面に前記鉄骨梁の端面が接合され、前記継手部パイプに、前記鉄骨梁の上下のフランジの位置する高さにそれぞれ位置して上下のダイアフラムが設けられ、
前記継手部パイプの２つまたは３つの側面に前記鉄骨梁の端面が接合され、前記継手部パイプの残りの側面に、先端が前記下階柱の側面と同じ水平位置まで延びるアーム状の補強鉄骨の基端が接合されて下階柱に埋め込まれたものである。
【０００９】
この構成によると、継手部パイプの側面に鉄骨梁の端面を接合するため、接合作業が容易であり、例えば溶接ロボット等で接合することも容易である。継手部パイプは、前記鉄骨梁の幅以上の角パイプであるため、継手部パイプからはみ出すことなく鉄骨梁の端面の全体が継手部パイプの側面に接触し、継手部パイプと鉄骨梁との間の応力伝達が良好に行える。継手部パイプには鉄骨梁の上下のフランジの位置する高さにそれぞれ位置して上下のダイアフラムが設けられるため、継手部パイプの剛性不足の問題を生じることなく堅固に接合できる。継手部パイプは鉄筋コンクリート柱からなる下階柱より細い角パイプであるため、継手部パイプと下階柱との間の応力伝達も良好に行える。このように、下階柱となる鉄筋コンクリート柱と鉄骨梁とを作業性良く堅固に接合できる。
鉄骨梁が鉄筋コンクリート柱から２方または３方に延びるが、下階柱の上端部内における鉄骨梁が位置しない方向の部分にアーム状の補強鉄骨が埋め込まれていることで、下階柱である鉄筋コンクリート柱の上端部の４方に延びて鉄骨が埋め込まれることになって、良好に鉄骨梁と鉄筋コンクリート柱間に応力伝達が行え、より一層堅固な接合構造となる。
【００１０】
この発明において、前記継手部パイプ上に、この継手部パイプ以下の外径の鉄骨柱からなる上階柱が接合されても良い。
上階柱は、継手部パイプと同径、または継手部パイプより細い断面形状であるため、上階柱に作用する軸方向荷重が継手部パイプに良好に伝達される。継手部パイプと鉄骨梁や下階柱とは、上記のように良好に応力伝達される。
このため、下階柱となる鉄筋コンクリート柱と鉄骨梁とを上記のように作業性良く堅固に接合できるうえ、上階柱となる鉄骨柱が鉄骨梁の幅より太くても、応力伝達上で支障が生じることなく上階柱と鉄骨梁との接合が行える。
【００１１】
前記のように上階柱を設ける場合に、前記上階柱に作用する曲げ力に対して前記上階柱の下部を補強する柱下部補強体が設けられていても良い。
上階柱に作用する軸力は継手部パイプに良好に伝達され、また継手部パイプで堅固に支持することができるが、曲げモーメントについては、上階柱と継手部パイプとを単に接合しただけでは、十分に負担すること難しい。しかし、上記のように柱下部補強体を設けることで、上階柱の下端の曲げについても、十分に支持することができる。
【００１２】
前記柱下部補強体は、前記下階柱から一体に続く鉄筋コンクリート製の根巻きであっても良い。
前記曲げ補強体には鋼材等も採用できるが、下階柱が鉄筋コンクリート柱であるため、下階柱から一体に続く鉄筋コンクリート製の根巻きとすることで、施工も簡単でかつ堅固な曲げ補強が行える。
【００１５】
参考提案例に係る鉄筋コンクリート柱・鉄骨梁接合構造は、鉄筋コンクリート柱からなる下階柱の上端と、鉄骨梁とを接合する鉄筋コンクリート柱・鉄骨梁接合構造であって、  前記下階柱の上端に、前記鉄骨梁の幅以上で前記下階柱より細いパイプである継手部パイプが設けられ、この継手部パイプの側面に前記鉄骨梁の端面が接合され、前記継手部パイプに、前記鉄骨梁の上下のフランジの位置する高さにそれぞれ位置して上下のダイアフラムが設けられている。
【００１６】
参考提案例に係る鉄筋コンクリート柱・鉄骨梁接合構造は、この発明の鉄筋コンクリート柱・鉄骨梁接合構造において、継手部パイプの断面形状が角形である限定を省いた構成である。継手部パイプは、丸形パイプであっても、その他種々断面形状のパイプであっても良い。
【００１７】
前記継手部パイプが角形あれば、梁の継手部パイプへの接合端を円形等に加工する作業が不要という利点があるが、参考提案例に係る鉄筋コンクリート柱・鉄骨梁接合構造は、その他の各効果については、この発明の鉄筋コンクリート柱・鉄骨梁接合構造につき説明したと同様な各効果が得られる。
【００１８】
この発明および前記参考提案例のいずれの鉄筋コンクリート柱・鉄骨梁接合構造においても、前記継手部パイプ上に鉄骨柱からなる上階柱が接合され、前記継手部パイプは前記上階柱よりも小径あり、前記継手部パイプの外周に柱梁接合部のコンクリートが充填されていても良い。
継手部パイプが上階柱よりも小径であると、柱梁接合部における前記コンクリート部分の断面が大きくなる。そのため、耐力が向上する。
【発明の効果】
【００１９】
この発明の鉄筋コンクリート柱・鉄骨梁接合構造は、鉄筋コンクリート柱からなる下階柱の上端と、鉄骨梁とを接合する鉄筋コンクリート柱・鉄骨梁接合構造であって、前記下階柱の上端に、前記鉄骨梁の幅以上で前記下階柱より細い角パイプなどのパイプである継手部パイプが設けられ、この継手部パイプの側面に前記鉄骨梁の端面が接合され、前記継手部パイプに、前記鉄骨梁の上下のフランジの位置する高さにそれぞれ位置して上下のダイアフラムが設けられたため、下階柱となる鉄筋コンクリート柱と鉄骨梁とを作業性良く堅固に接合できる。
前記継手部パイプ上に、この継手部パイプ以下の外径の鉄骨柱からなる上階柱が接合されている場合は、上階柱となる鉄骨柱がこの鉄骨柱を載せる鉄骨梁の幅より太くても、応力伝達上で支障が生じることなく上階柱と鉄骨梁との接合が行える。
【図面の簡単な説明】
【００２０】
【図１】この発明の一実施形態にかかる鉄筋コンクリート柱・鉄骨梁接合構造が適用されるＲＣＳ構造の建物躯体を示す斜視図である。
【図２】同鉄筋コンクリート柱・鉄骨梁接合構造を示す斜視図である。
【図３】同鉄筋コンクリート柱・鉄骨梁接合構造における鉄骨柱より上方部分を省略して図示した斜視図である。
【図４】同鉄筋コンクリート柱・鉄骨梁接合構造における下階柱および根巻きの省略状態の斜視図である。
【図５】同鉄筋コンクリート柱・鉄骨梁接合構造の平面図である。
【図６】同鉄筋コンクリート柱・鉄骨梁接合構造における鉄骨材のみを示す縦断面図である。
【図７】この発明の他の実施形態にかかる鉄筋コンクリート柱・鉄骨梁接合構造を示す斜視図である。
【図８】この発明のさらに他の実施形態にかかる鉄筋コンクリート柱・鉄骨梁接合構造を示す平面図である。
【図９】この発明のさらに他の実施形態にかかる鉄筋コンクリート柱・鉄骨梁接合構造を示す平面図である。
【図１０】この発明のさらに他の実施形態にかかる鉄筋コンクリート柱・鉄骨梁接合構造を示す斜視図である。
【図１１】同鉄筋コンクリート柱・鉄骨梁接合構造における鉄骨柱より上方部分を省略して図示した斜視図である。
【図１２】同鉄筋コンクリート柱・鉄骨梁接合構造における下階柱および根巻きの省略状態の斜視図である。
【図１３】この発明のさらに他の実施形態にかかる鉄筋コンクリート柱・鉄骨梁接合構造を示す平面図である。
【図１４】同鉄筋コンクリート柱・鉄骨梁接合構造における鉄骨のみを示す正面図である。
【図１５】この発明のさらに他の実施形態にかかる鉄筋コンクリート柱・鉄骨梁接合構造を示す平面図である。
【図１６】この発明のさらに他の実施形態にかかる鉄筋コンクリート柱・鉄骨梁接合構造を示す平面図である。
【図１７】この発明のさらに他の実施形態にかかる鉄筋コンクリート柱・鉄骨梁接合構造における鉄骨のみを示す正面図である。
【図１８】この発明のさらに他の実施形態にかかる鉄筋コンクリート柱・鉄骨梁接合構造の一部破断正面図である。
【図１９】この発明のさらに他の実施形態にかかる鉄筋コンクリート柱・鉄骨梁接合構造の一部破断正面図である。
【図２０】この発明のさらに他の実施形態にかかる鉄筋コンクリート柱・鉄骨梁接合構造の一部破断正面図である。
【図２１】この発明のさらに他の実施形態にかかる鉄筋コンクリート柱・鉄骨梁接合構造の一部破断正面図である。
【図２２】参考提案例にかかる鉄筋コンクリート柱・鉄骨梁接合構造の破断平面図である。
【図２３】ＲＣＳ構造の建物躯体の従来例を示す斜視図である。
【図２４】図２３におけるXVIII 部を拡大して示す斜視図である。
【図２５】図２４における鉄骨柱をこれより大径の鉄骨柱に置き換えた場合を示す斜視図である。
【発明を実施するための形態】
【００２１】
この発明の一実施形態を図１ないし図６と共に説明する。図１はこの実施形態の鉄筋コンクリート柱・鉄骨梁接合構造が適用されるＲＣＳ構造の建物躯体を示し、図２はその鉄筋コンクリート柱・鉄骨梁接合構造の斜視図を示す。
図１の建物躯体は、例えば物流施設などに適用される。この建物躯体は、各柱につき、１階は鉄筋コンクリート柱１とされ、中間階および最上階は鉄骨柱２，１０とされている。各梁は鉄骨梁３とされている。中間階では各階毎に鋼材のブレース１１が設けられている。ブレース１１は、図示の例では上端が鉄骨梁１１に接合され、下端が鉄骨柱２に接合されている。１階の隣合う鉄筋コンクリート柱１，１間は、ブレースは設けられず、建物の部位によっては、トラック出入り用の開口とされる。
【００２２】
各使用部材の種類例および寸法を示すと、前記中間階の鉄骨柱２は角形鋼管等の角パイプとされ、最上階の鉄骨柱１０は角パイプまたはＨ形鋼等の形鋼とされる。鉄骨梁３はＨ形鋼とされる。中間階の鉄骨柱２は、１階の鉄筋コンクリート柱１より小径でかつ鉄骨梁３のフランジ幅（以下単に「幅」と称す）より大径とされる。例えば、鉄骨梁３の幅が３００mmの場合、中間階の鉄骨柱２は外寸が５５０mm角程度とされる。
【００２３】
最上階の鉄骨柱１０は、折板屋根等の屋根材を支持しており、鉄骨梁３と同じく外寸が３００mmとされる。そのため、最上階の鉄骨柱１０の下端と鉄骨梁３との接合は、図１８の従来例で説明した構成と同様に、鉄骨梁３上に鉄骨柱１０を設置する柱・梁接合構造とされている。ただし、最上階の鉄骨柱１０の下に続く柱は中間階の鉄骨柱２であり、接合部にコンクリートは設けられていない。
【００２４】
図２は、図１のII部である鉄筋コンクリート柱・鉄骨梁接合構造を拡大して示す。同部分は、上階の鉄骨柱２の接合も行っており、鉄筋コンクリート柱・鉄骨柱、鉄骨梁接合構造を構成している。すなわち同図は、鉄筋コンクリート柱１からなる下階柱（１階柱）の上端部と、鉄骨梁３と、前記中間階の柱である上階柱（２階柱）の下端部とを接合する構造を示す。
【００２５】
鉄骨梁３は鉄筋コンクリート柱から４方に延びている。各鉄骨梁３は前記のようにＨ形鋼であり、上下にフランジ３ａ，３ａが位置し、ウェブ３ｂが立姿勢となるように設けられている。
【００２６】
下階柱（１階柱）である鉄筋コンクリート柱１の上端面には、図３のように継手部パイプ４が埋め込み状態に設けられる。この継手部パイプ４は、前記鉄骨梁３の幅以上で鉄筋コンクリート柱１より細い角パイプである継手部パイプ４として、ここでは５５０mm角程度の外径の角パイプが用いられる。この継手部パイプ４の各側面に、図５に平面図で示すように鉄骨梁３の端面が溶接で接合される。継手部パイプ４には、図６に縦断面面で示すように、鉄骨梁３の上下のフランジ３ａ，３ａの高さに位置する上下のダイアフラム５，５がそれぞれ設けられている。ダイアフラム５は、この実施形態では継手部パイプ４の内部に設けられ、継手部パイプ４の内周面に突合せ溶接で接合されている。この突合せ溶接を可能にし、かつ上下のダイアフラム５，５と鉄骨梁３の上下のフランジ３ａ，３ａの高さが一致するように、継手部パイプ４の長さは鉄骨梁３の梁成より若干長くされている。
【００２７】
継手部パイプ４上には、図４に斜視図で示すように上階柱となる鉄骨柱２が設けられ、継手部パイプ４と溶接で接合されている。上階柱となる鉄骨柱２は、外径が継手部パイプ４以下の形鋼であり、同図の例では継手部パイプ４と同径で、かつ肉厚も同じ角パイプが用いられている。
【００２８】
上階柱となる鉄骨柱２の下部の周囲には、図２のように柱下部補強体６が設けられる。柱下部補強体６は、この鉄骨柱２に作用する曲げ力に対して鉄骨柱２の下部を補強する部材である。この例では、柱下部補強体６は、下階柱である１階の鉄筋コンクリート柱１から一体に続く鉄筋コンクリート製の根巻きとされている。この根巻きとなる曲げ補強体６の鉄筋１９は、１階の鉄筋コンクリート柱１から上下方向に延びる複数本の主筋１９ａと、これら複数本の主筋１９ａの周囲に位置する帯筋１９ｂとでなる。
【００２９】
また、この実施形態では、下階柱である鉄筋コンクリート柱１における鉄骨梁３の高さ位置の部分、つまり梁成に対応する高さ範囲の部分を打設するために、図４のようにふさぎ板７が捨て型枠として配置されている。ふさぎ板７は鋼板等からなり、互いに直角に配置される隣り合う各２つの鉄骨梁３、３の間に跨がって水平断面Ｌ字状に設けられる。ふさぎ板７の両側端は各鉄骨梁３に溶接により接合されている。なお、前記ふさぎ板７を省略して、一般的な型枠を配置することで、鉄筋コンクリート柱１における、鉄骨梁３が位置する高さの部分まで打設して、鉄骨梁３が鉄筋コンクリート柱１に埋め込まれるようにしても良い。
【００３０】
この構成の鉄筋コンクリート柱・鉄骨梁接合構造によると、継手部パイプ４の側面に鉄骨梁３の端面を接合するため、接合作業が容易であり、例えば溶接ロボット等で接合することも容易である。継手部パイプ４は、鉄骨梁３の幅以上の角パイプであるため、継手部パイプ４からはみ出すことなく鉄骨梁３の端面の全体が継手部パイプ４の側面に接触し、そのため継手部パイプ４と鉄骨梁３との間の応力伝達が良好に行える。継手部パイプ４には鉄骨梁３の上下のフランジ３ａ，３ａの高さにそれぞれ位置して上下のダイアフラム５，５が設けられているため、継手部パイプ４の剛性不足の問題を生じることなく堅固に接合できる。継手部パイプ４は下階柱である鉄筋コンクリート柱１より細い角パイプであるため、継手部パイプ４と下階柱との間の応力伝達も良好に行える。このように、下階柱となる鉄筋コンクリート柱１と鉄骨梁３とを作業性良く堅固に接合できる。
【００３１】
また、上階柱は継手部パイプ４と同径の断面寸法の角パイプからなる鉄骨柱２とされているため、上階柱である鉄骨柱２に作用する軸方向荷重が継手部パイプ４に良好に伝達される。
【００３２】
このように、下階柱となる鉄筋コンクリート柱１と鉄骨梁３とを上記のように作業性良く堅固に接合できるうえ、上階柱となる鉄骨柱２が鉄骨梁３の幅より太くても、応力伝達上で支障が生じることなく上階柱２と鉄骨梁３との接合が行える。
【００３３】
また、この実施形態では、前記継手部パイプ４上に、上階柱として前記継手部パイプ４以下の外径の鉄骨柱２が接合されているので、ＲＣＳ構造の建物躯体において、上階柱となる鉄骨柱２の外径（ここでは５５０mm角程度）が鉄骨梁３の幅（ここでは３００mm）より大径であっても、上階柱となる鉄骨柱２からの軸力と曲げを柱梁接合部から下階柱となる鉄筋コンクリート柱１へスムーズに伝達できる。
【００３４】
図７は、この発明の他の実施形態を示す。この実施形態の鉄筋コンクリート柱・鉄骨梁接合構造では、先の実施形態において、上階柱となる鉄骨柱２の下端部の一側面とその側面の向かう方向に延びる鉄骨梁３の前記鉄骨柱２に近い一端部上面との間に跨がって、ブレース取付用のガセットプレート８を溶接により接合している。その他の構成は、先の実施形態の場合と同様である。
【００３５】
このように、上階柱となる鉄骨柱２の下端部の一側面とその側面の向かう方向に延びる鉄骨梁３の前記鉄骨柱２に近い一端部上面との間に跨がって、ブレース取付用のガセットプレート８を接合することにより、上階をブレース付きの鉄骨造とすることができ、十分な剛性を確保することができる。
【００３６】
図８は、この発明のさらに他の実施形態を示す。この実施形態の鉄筋コンクリート柱・鉄骨梁接合構造では、図１〜図６に示した先の実施形態において、前記継手部パイプ４の３つの側面に前記鉄骨梁３の端面が接合され、継手部パイプ４の残りの１側面に、先端が前記下階柱である鉄筋コンクリート柱１の側面と同じ水平位置まで延びるアーム状の補強鉄骨９の基端が接合されて下階柱に埋め込まれている。補強鉄骨９の先端は、鉄筋コンクリート柱１の側面に対して多少の出入りがあっても良い。前記補強鉄骨９は、例えば鉄骨梁３と同じ断面形状で同寸法のＨ形鋼からなる。その他の構成は、図１〜図６に示した先の実施形態の場合と同様である。
【００３７】
このように、鉄骨梁３が継手部パイプ４の３つの側面から３方にＴ字状に延びる場合でも、鉄筋コンクリート柱１の上端部内における鉄骨梁３が位置しない１方向の部分に、基端が前記継手部パイプ４の残りの１側面に接合されたアーム状の補強鉄骨９を埋め込むことにより、下階柱となる鉄筋コンクリート柱１と鉄骨梁３とをより堅固に接合できる。また、上階柱として鉄骨柱２を用いる場合にも、その鉄骨柱２の下端を下階柱である鉄筋コンクリート１の上に安定良く十分な支持強度で支持することができる。
【００３８】
図９は、この発明のさらに他の実施形態を示す。この実施形態の鉄筋コンクリート柱・鉄骨梁接合構造では、図１〜図６に示した先の実施形態において、前記継手部パイプ４の２つの側面に前記鉄骨梁３の端面が接合され、継手部パイプ４の残りの２側面に、先端が前記下階柱である鉄筋コンクリート柱１の側面と同じ水平位置まで延びるアーム状の補強鉄骨９の基端がそれぞれ接合されて下階柱に埋め込まれている。その他の構成は、図１〜図６に示した先の実施形態の場合と同様である。
【００３９】
この実施形態の場合も、鉄筋コンクリート柱１の上端部内における鉄骨梁３が位置しない２方向の部分に、基端が前記継手部パイプ４の残りの２側面に接合されたアーム状の補強鉄骨９をそれぞれ埋め込むことにより、下階柱となる鉄筋コンクリート柱１と鉄骨梁３とをより堅固に接合できる。また、上階柱として鉄骨柱２を用いる場合にも、その鉄骨柱２の下端を下階柱である鉄筋コンクリート１の上に安定良く十分な支持強度で支持することができる。
【００４０】
図１０ないし図１4 は、この発明のさらに他の実施形態を示す。図１０はその鉄筋コンクリート柱・鉄骨梁接合構造の斜視図を示す。この鉄筋コンクリート柱・鉄骨梁接合構造では、図１〜図６に示した先の実施形態において、図１４に正面図で示すように、継手部パイプ４の上下端のダイアフラム５，５が、継手部パイプ４の端面に接合されている。ダイアフラム５の接合は、継手部パイプ４の外周面とダイアフラム５の下面または上面との間の突合せ溶接で行われる。ダイアフラム５の外径は、図１３に平面図で示すように継手部パイプ４より若干大きくされており、鉄骨梁３の上下のフランジ３ａ，３ａが前記各ダイアフラム５の側面に溶接により接合されている。上階柱となる鉄骨柱２は、前記上位置のダイアフラム５の上に溶接により接合される。図１１は上階の鉄骨柱２を省略した状態を示し、図１２は上階の前記鉄骨柱２を接合し状態を斜視図で示している。その他の構成は、図１〜図６に示した先の実施形態の場合と同様である。
【００４１】
この実施形態の場合も、下階柱である鉄筋コンクリート柱１の上端面上に、鉄骨梁３の幅以上で前記鉄筋コンクリート柱１より細い角パイプである継手部パイプ４が設けられ、この継手部パイプ４の側面に前記鉄骨梁３の端面が接合され、継手部パイプ４に、鉄骨梁３の上下のフランジ３ａ，３ａの位置する高さにそれぞれ位置して上下のダイアフラム５，５が設けられたものであるため、下階柱となる鉄筋コンクリート柱１と鉄骨梁３とを作業性良く堅固に接合できる。
【００４２】
また、この実施形態でも、前記継手部パイプ４上に、上階柱として前記継手部パイプ４以下の外径の鉄骨柱２が接合されているので、ＲＣＳ構造の建物躯体において、上階柱となる鉄骨柱２の外径（ここでは５５０mm角程度）が鉄骨梁３の幅（ここでは３００mm）より大径であっても、上階柱となる鉄骨柱２からの軸力と曲げを柱梁接合部から下階柱となる鉄筋コンクリート柱１へスムーズに伝達できる。
【００４３】
図１５は、この発明のさらに他の実施形態を示す。この実施形態の鉄筋コンクリート柱・鉄骨梁接合構造では、図１０〜図１４に示した先の実施形態において、前記継手部パイプ４の３つの側面に前記鉄骨梁３の端面が接合され、継手部パイプ４の残りの１側面に、先端が前記下階柱である鉄筋コンクリート柱１の側面と同じ水平位置まで延びるアーム状の補強鉄骨９の基端が接合されて下階柱に埋め込まれている。その他の構成は、図１〜図６に示した先の実施形態の場合と同様である。
【００４４】
この場合も、図８の実施形態の場合と同様に、下階柱となる鉄筋コンクリート柱１と鉄骨梁３とをより堅固に接合できる。また、上階柱として鉄骨柱２を用いる場合にも、その鉄骨柱２の下端を下階柱である鉄筋コンクリート１の上に安定良く十分な支持強度で支持することができる。
【００４５】
図１６は、この発明のさらに他の実施形態を示す。この実施形態の鉄筋コンクリート柱・鉄骨梁接合構では、図１０〜図１４に示した先の実施形態において、前記継手部パイプ４の２つの側面に前記鉄骨梁３の端面が接合され、継手部パイプ４の残りの２側面に、先端が前記下階柱である鉄筋コンクリート柱１の側面と同じ水平位置まで延びるアーム状の補強鉄骨９の基端がそれぞれ接合されて下階柱に埋め込まれている。その他の構成は、図１〜図６に示した先の実施形態の場合と同様である。
【００４６】
この場合も、図９の実施形態の場合と同様に、下階柱となる鉄筋コンクリート柱１と鉄骨梁３とをより堅固に接合できる。また、上階柱として鉄骨柱２を用いる場合にも、その鉄骨柱２の下端を下階柱である鉄筋コンクリート１の上に安定良く十分な支持強度で支持することができる。
【００４７】
図１７は、この発明のさらに他の実施形態を示す。この実施形態は、図１０〜図１４の実施形態において、継手部パイプ４上に接合された上階柱２が、角パイプであって、継手部パイプ４よりも小径である例を示す。この構成の場合も、上階柱２が継手部パイプ４と同じ径である場合と同様に、下階柱となる鉄筋コンクリート柱１と鉄骨梁３とを作業性良く堅固に接合できる。その他の構成効果は、図１０〜図１４に示す実施形態と同様である。
【００４８】
図１８は、この発明のさらに他の実施形態を示す。この実施形態は、図１０〜図１４の実施形態において、継手部パイプ４が角パイプであって、この継手部パイプ４上に接合された角パイプからなる上階柱２よりも小径とされている。各鉄骨梁３は、上下の各ダイアフラム５，５の四方に接合されたアーム状の基端部梁部材３Ａと、この基端部梁部材３Ａに突き合わせ溶接等で接合された一般部梁部材３Ｂとで構成される。基端部梁部材３Ａは、下階柱である鉄筋コンクリート柱１の側面と同じであるかまたは僅かに突出する程度の長さである。基端部梁部材３Ａは、鉄骨梁３の本数にかかわらずに四方に設けられ、鉄骨梁３が３〜１方のみに設けられる場合は、残りの基端部梁部材３Ａは、図８の例と共に前述した補強梁９として用いられる。
この構成の場合、継手部パイプ４が小径であるため、１階柱である鉄筋コンクリート柱１に続く柱梁接合部１ａのコンクリート部分の断面積が大きくなる。そのため、柱梁接合部１ａの耐力が向上する。下階柱となる鉄筋コンクリート柱１と鉄骨梁３とを作業性良く堅固に接合できることは、継手部パイプ４が上階柱２と同じ径である場合と同様である。その他の構成効果は、図１０〜図１４に示す実施形態と同様である。
【００４９】
なお、前記各実施形態において、継手部パイプ４内にはコンクリートが充填されていないが、例えば図１９〜図２１の各例に示すように、継手部パイプ４内にコンクリート１４が充填されていても良い。継手部パイプ４内へのコンクリート１４の充填は、下方のダイアフラム５に設けられた孔１５から、下階柱１のコンクリート打設時に行われる。前記孔１５は、例えば、ダイアフラム５や継手部パイプ４への鉄骨梁３の溶接作業時に、継手部パイプ４内の温度上昇による気圧の上昇を回避するためのガス抜き孔が兼用される。
これら図１９〜図２１の各例等のように、継手部パイプ４内にコンクリートが充填されていると、柱梁接合部の耐力が向上する。
【００５０】
図１９の例は、継手部パイプ４が上階柱２と同一断面形状とされた例である。図２０の例は、継手部パイプ４が上階柱２よりも太い断面形状の角パイプとされた例である。図２１の例は、継手部パイプ４が上階柱２よりも細い断面形状の角パイプとされた例である。図２１の例は、継手部パイプ４内にコンクリート１４が充填されていることを除き、図１８の実施形態と同様である。また、図２０，図２１の例は、継手部パイプ４内にコンクリート１４が充填されていること、および継手部パイプ４と上階柱２との太さの関係が異なる他は、図１８の実施形態と同様である。
【００５１】
図２２は、参考提案例を示す。この例は、図１〜図６に示す実施形態において、継手部パイプ４、および上階柱となる鉄骨柱２を丸形鋼管等の丸パイプとし、鉄筋コンクリート柱１についても円形断面とした例である。
このように継手部パイプ４、鉄筋コンクリート柱１、および上階柱となる鉄骨柱２を円形断面とした場合も、角形である場合と同様に、下階柱となる鉄筋コンクリート柱１と鉄骨梁３とを作業性良く堅固に接合できる等の各効果が得られる。
その他の構成，効果は、図１〜図６の実施形態と同様である。
【００５２】
なお、図１〜図２１等に示したいずれの実施形態においても、継手部パイプ４、鉄筋コンクリート柱１、および上階柱となる鉄骨柱２のうち、任意の物を丸形、残りの物を角形として丸形と角形とを組み合わせても良い。
【００５３】
また、上記した各実施形態では、下階柱である鉄筋コンクリート柱１と、鉄骨梁３と、上階柱である鉄骨柱２との接合部について説明したが、この発明は例えば建物の最上階の場合のように鉄骨梁の上に上階柱がない場合に、図３のように下階柱となる鉄筋コンクリート柱１だけが鉄骨梁３に接合されて上階柱がない状態を最終構造として適用することもできる。また、図２の接合構造において、上階柱の鉄骨柱２を鉄筋コンクリート柱１に置き換えた接合構造、つまり下階柱も上階柱も共に鉄筋コンクリート柱である場合にもこの発明の鉄筋コンクリート柱・鉄骨梁接合構を適用可能である。
【符号の説明】
【００５４】
１…鉄筋コンクリート柱（下階柱）
２…鉄骨柱（上階柱）
３…鉄骨梁
３ａ…フランジ
４…継手部パイプ
５…ダイアフラム
６…柱下部補強体
９…補強鉄骨
【図１】
0006719943.tif 000002
【図２】
0006719943.tif 000003
【図３】
0006719943.tif 000004
【図４】
0006719943.tif 000005
【図５】
0006719943.tif 000006
【図６】
0006719943.tif 000007
【図７】
0006719943.tif 000008
【図８】
0006719943.tif 000009
【図９】
0006719943.tif 000010
【図１０】
0006719943.tif 000011
【図１１】
0006719943.tif 000012
【図１２】
0006719943.tif 000013
【図１３】
0006719943.tif 000014
【図１４】
0006719943.tif 000015
【図１５】
0006719943.tif 000016
【図１６】
0006719943.tif 000017
【図１７】
0006719943.tif 000018
【図１８】
0006719943.tif 000019
【図１９】
0006719943.tif 000020
【図２０】
0006719943.tif 000021
【図２１】
0006719943.tif 000022
【図２２】
0006719943.tif 000023
【図２３】
0006719943.tif 000024
【図２４】
0006719943.tif 000025
【図２５】
0006719943.tif 000026